【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】
記録媒体の挿排口を備えた本体のパネル部に、情報を表示するディスプレイ部が回動自在に装着された電子機器の照明構造において、
前記ディスプレイ部は、前記パネル部に設けられた挿排口を閉鎖した状態で、該ディスプレイ部の点灯により該ディスプレイ部が表示動作されてなり、
前記ディスプレイ部が該パネル部から回動展開された状態で、点灯することを特徴とする電子機器の照明構造。
【請求項２】  前記電子機器は車両に搭載されてなり、
前記ディスプレイ部は、前記パネル部の開放時に、車両に装備されたヘッドライトスイッチに連動して点灯されることを特徴とする請求項１記載の電子機器の照明構造。
【請求項３】  前記電子機器は車両に搭載されてなり、
前記ディスプレイ部は、前記パネル部の開放時に、車両に装備されたレオスタットスイッチに連動して前記パネル部の照明の明るさが可変設定されてなることを特徴とする請求項１又は２記載の電子機器の照明構造。
【請求項４】  前記ディスプレイ部は、前記パネル部の開放時に、所定の表示領域の輝度が可変設定されてなることを特徴とする請求項１、２、又は３記載の電子機器の照明構造。
【請求項５】  前記所定の表示領域とは、該パネル部に配設された挿排口と操作釦の近傍の領域であることを特徴とする請求項４記載の電子機器の照明構造。
【請求項６】  前記ディスプレイ部には、前記パネル部の開放状態の経過時間を検出する経過時間検出手段が設けられてなり、
前記経過時間が所定時間を経過した事が、該経過時間検出手段により検出されると、前記ディスプレイ部が消灯制御されてなることを特徴とする請求項１乃至５記載の電子機器の照明構造。
【請求項７】  前記ディスプレイ部には、前記パネル部の開放状態の経過時間を検出する経過時間検出手段が設けられてなり、
前記経過時間が所定時間を経過した事が、該経過時間検出手段により検出されると、前記ディスプレイ部が点滅制御されてなることを特徴とする請求項１乃至５記載の電子機器の照明構造。
【請求項８】  前記ディスプレイ部は、前記パネル部が開放され、近傍が照明されている前記挿排口から記録媒体が排出された時、排出された当該記録媒体の種類の検出に対応して、表示画面の色が所定の色に照明されてなることを特徴とする請求項１乃至７記載の電子機器の照明構造。
【請求項９】  前記ディスプレイ部の表示画面には、排出された前記記録媒体の種類に対応する所定の表示領域が設定され、該表示領域の表示色が可変設定されてなることを特徴とする請求項８記載の電子機器の照明構造。
【請求項１０】  記録媒体の挿排口を備えた本体のパネル部に、情報を表示するディスプレイ部が回動自在に装着された電子機器において、
前記ディスプレイ部は、液晶表示素子パネルと該液晶表示素子パネルの後面に配設された第１導光板と該液晶表示素子パネルを該第１導光板を介して照明するバックライトとパネルケースで構成されてなり、
前記ディスプレイ部は、前記本体のパネル部方向に前記パネルケースの下端部を連結支持点として回動され、該パネル部に設けられた挿排口と操作釦を閉鎖した状態で、該ディスプレイ部に設けられたバックライトの点灯による前記第１導光板を介しての第１照明手段により該ディスプレイ部が表示動作されてなり、
前記挿排口を備えた前記パネル部は、前記本体の前面枠体に設置され、該パネル部の後面には、第２導光板が配設されてなり、
前記パネル部は、前記本体の前面枠体の下端部を連結支持点として、該ディスプレイ部が該パネル部から離間する方向に回動展開されて開放された状態で、前記バックライトの点灯により前記第２導光板を介して該パネルが照明されてなることを特徴とする電子機器の照明構造。
【請求項１１】
記録媒体の挿排口を備えた本体のパネル部に、情報を表示するディスプレイ部が回動自在に装着された電子機器において、
前記ディスプレイ部は、前記パネル部に設けられた挿排口を閉鎖した状態で、該ディスプレイ部の点灯により該ディスプレイ部が表示動作されてなり、
前記ディスプレイ部が該パネル部から回動展開された状態で、点灯することを特徴とする電子機器。
【手続補正２】
【補正対象書類名】明細書
【補正対象項目名】０００９
【補正方法】変更
【補正の内容】
【０００９】
【課題を解決するための手段】
上記目的を達成するために、本発明は、  記録媒体の挿排口を備えた本体のパネル部に、情報を表示するディスプレイ部が回動自在に装着された電子機器において、前記ディスプレイ部は、前記パネル部に設けられた挿排口を閉鎖した状態で、該ディスプレイ部の点灯により該ディスプレイ部が表示動作されてなり、前記ディスプレイ部が該パネル部から回動展開された状態で、点灯することを特徴とする。  
【手続補正３】
【補正対象書類名】明細書
【補正対象項目名】００１０
【補正方法】変更
【補正の内容】
【００１０】
また、前記電子機器は車両に搭載されてなり、前記ディスプレイ部は、前記パネル部の開放時に、車両に装備されたヘッドライトスイッチに連動して点灯されることを特徴とする。
【手続補正４】
【補正対象書類名】明細書
【補正対象項目名】００１１
【補正方法】変更
【補正の内容】
【００１１】
また、前記電子機器は車両に搭載されてなり、前記ディスプレイ部は、前記パネル部の開放時に、車両に装備されたレオスタットスイッチに連動して前記パネル部の照明の明るさが可変設定されてなることを特徴とする。
【手続補正５】
【補正対象書類名】明細書
【補正対象項目名】００１２
【補正方法】変更
【補正の内容】
【００１２】
また、前記ディスプレイ部は、前記パネル部の開放時に、所定の表示領域の輝度が可変設定されてなることを特徴とする。
【手続補正６】
【補正対象書類名】明細書
【補正対象項目名】００１３
【補正方法】変更
【補正の内容】
【００１３】
また、前記所定の表示領域とは、該パネル部に配設された挿排口と操作釦の近傍の領域であることを特徴とする。
【手続補正７】
【補正対象書類名】明細書
【補正対象項目名】００１４
【補正方法】変更
【補正の内容】
【００１４】
また、前記ディスプレイ部には、前記パネル部の開放状態の経過時間を検出する経過時間検出手段が設けられてなり、前記経過時間が所定時間を経過した事が、該経過時間検出手段により検出されると、前記ディスプレイ部が消灯制御されてなることを特徴とする。
【手続補正８】
【補正対象書類名】明細書
【補正対象項目名】００１５
【補正方法】変更
【補正の内容】
【００１５】
また、前記ディスプレイ部には、前記パネル部の開放状態の経過時間を検出する経過時間検出手段が設けられてなり、前記経過時間が所定時間を経過した事が、該経過時間検出手段により検出されると、前記ディスプレイ部が点滅制御されてなることを特徴とする。
【手続補正９】
【補正対象書類名】明細書
【補正対象項目名】００１６
【補正方法】変更
【補正の内容】
【００１６】
また、前記ディスプレイ部は、前記パネル部が開放され、近傍が照明されている前記挿排口から記録媒体が排出された時、排出された当該記録媒体の種類の検出に対応して、表示画面の色が所定の色に照明されてなることを特徴とする。
【手続補正１０】
【補正対象書類名】明細書
【補正対象項目名】００１７
【補正方法】変更
【補正の内容】
【００１７】
また、前記ディスプレイ部の表示画面には、排出された前記記録媒体の種類に対応する所定の表示領域が設定され、該表示領域の表示色が可変設定されてなることを特徴とする。
【手続補正１１】
【補正対象書類名】明細書
【補正対象項目名】００１８
【補正方法】変更
【補正の内容】
【００１８】
また、前記ディスプレイ部の表示画面には、排出された前記記録媒体の種類に対応する所定の表示領域が設定され、該表示領域の表示色が可変設定されてなることを特徴とする。
また、記録媒体の挿排口を備えた本体のパネル部に、情報を表示するディスプレイ部が回動自在に装着された電子機器において、前記ディスプレイ部は、液晶表示素子パネルと該液晶表示素子パネルの後面に配設された第１導光板と該液晶表示素子パネルを該第１導光板を介して照明するバックライトとパネルケースで構成されてなり、前記ディスプレイ部は、前記本体のパネル部方向に前記パネルケースの下端部を連結支持点として回動され、該パネル部に設けられた挿排口と操作釦を閉鎖した状態で、該ディスプレイ部に設けられたバックライトの点灯による前記第１導光板を介しての第１照明手段により該ディスプレイ部が表示動作されてなり、前記挿排口を備えた前記パネル部は、前記本体の前面枠体に設置され、該パネル部の後面には、第２導光板が配設されてなり、前記パネル部は、前記本体の前面枠体の下端部を連結支持点として、該ディスプレイ部が該パネル部から離間する方向に回動展開されて開放された状態で、前記バックライトの点灯により前記第２導光板を介して該パネルが照明されてなることを特徴とする。
【手続補正１２】
【補正対象書類名】明細書
【補正対象項目名】００１９
【補正方法】変更
【補正の内容】
【００１９】
また、記録媒体の挿排口を備えた本体のパネル部に、情報を表示するディスプレイ部が回動自在に装着された電子機器において、前記ディスプレイ部は、前記パネル部に設けられた挿排口を閉鎖した状態で、該ディスプレイ部の点灯により該ディスプレイ部が表示動作されてなり、前記ディスプレイ部が該パネル部から回動展開された状態で、点灯することを特徴とする。